(57)【要約】【課題】設置や修理が簡単、容易で、音場を自在に制御でき、吸音材としても機能するカーテンスピーカを提供する。【解決手段】本発明のカーテンスピーカ１００は複数の単板スピーカ１０を第１連結部材１６と第２連結部材１７とにより連結されている。ここで、前部多孔質絶縁層１１と第１連結部材１６との重ね合わせ部が縫合されているとともに、後部多孔質絶縁層１２と第２連結部材１７との重ね合わせ部が縫合されることにより一体化されてカーテン状に形成されている。単板スピーカ１０は、内表面に第１固定電極となる第１導電膜１１ａが形成された前部多孔質絶縁層１１と、内表面に第２固定電極となる第２導電膜１２ａが形成された後部多孔質絶縁層１２と、これらの一対の多孔質絶縁層１１，１２の中間部に配置された導電性フィルムからなる振動膜１３と、これらの間に充填された緩衝材１４とから構成される。【選択図】  図３
2008028652.tif 000002
【特許請求の範囲】
【請求項１】
内面に導電性多孔膜からなる固定電極が形成された一対の多孔質絶縁層の中心部に導電性を有する振動膜が前記固定電極に対して所定の間隔を隔てて配置された静電スピーカが複数個連結されて形成されたカーテンスピーカであって、
前記固定電極あるいは前記振動膜のいずれか一方にバイアス電圧が付与されているとともに、該バイアス電圧が付与されていない前記固定電極あるいは前記振動膜のいずれか一方にオーディオ信号が付与されるようになされており、
前記静電スピーカは、前記固定電極あるいは前記振動膜のいずれか一方に付与されたオーディオ信号に応じた駆動電圧に基づく当該振動膜と前記固定電極との間の静電力により前記振動膜が変位して当該振動膜と前記固定電極との間の空間部に存在する空気相が押し出されたり引き戻されることにより空気振動が生じて音波を発生するようになされており、
前記静電スピーカの１枚１枚が互い違いに折れ曲がるようになされた連結部を備えてカーテン状に形成されていて発音面積が変更可能で音場を自由に制御できるようになされていることを特徴とするカーテンスピーカ。
【請求項２】
内面に導電性多孔膜からなる固定電極が形成された一対の多孔質絶縁層の中心部に導電性を有する振動膜が前記固定電極に対して所定の間隔を隔てて配置された静電スピーカが複数個連結されて形成されたカーテンスピーカであって、
前記固定電極あるいは前記振動膜のいずれか一方にバイアス電圧が付与されているとともに、該バイアス電圧が付与されていない前記固定電極あるいは前記振動膜のいずれか一方にオーディオ信号が付与されるようになされており、
前記静電スピーカは、前記固定電極あるいは前記振動膜のいずれか一方に付与されたオーディオ信号に応じた駆動電圧に基づく当該振動膜と前記固定電極との間の静電力により前記振動膜が変位して当該振動膜と前記固定電極との間の空間部に存在する空気相が押し出されたり引き戻されることにより空気振動が生じて音波を発生するようになされており、
前記静電スピーカの１枚１枚が独立してブラインド状に連結されてブラインド状に形成されていて発音面積が変更可能で音場を自由に制御できるようになされていることを特徴とするカーテンスピーカ。
【請求項３】
前記振動膜と前記固定電極との間に緩衝材が配置されていることを特徴とする請求項１または請求項２に記載のカーテンスピーカ。
【請求項４】
前記振動膜の端部と前記固定電極の端部との間にスペーサが配置されていることを特徴とする請求項１または請求項２に記載のカーテンスピーカ。
【請求項５】
前記振動膜と前記固定電極のどちらか一方は高電圧で分極されたエレクトレット膜で構成されていることを特徴とする請求項１から請求項４のいずれかに記載のカーテンスピーカ。
【請求項６】
前記一対の多孔質絶縁層の内、外側に配置された多孔質絶縁層の外側には無孔質膜が貼着されていることを特徴とする請求項１から請求項５のいずれかに記載のカーテンスピーカ。
【請求項７】
前記静電スピーカの個々を別々に駆動させるようにしてアレイスピーカとして動作させるようにしたことを特徴とする請求項１から請求項６のいずれかに記載のカーテンスピーカ。
【発明の詳細な説明】
【技術分野】
【０００１】
本発明は、電気信号を音波に変換するスピーカに係り、特に、内面に導電性多孔膜からなる固定電極が形成された一対の多孔質絶縁層の中心部に導電性を有する振動膜が固定電極に対して所定の間隔を隔てて配置されて、これらの振動膜と固定電極との間の空間部に存在する空気相が押し出されたり引き戻されることにより空気振動が生じて音波を発生する静電スピーカが複数個連結されて形成されたカーテンスピーカに関する。
【背景技術】
【０００２】
ビル等の建築物には各種の放送設備が設けられ、それらの音波発生端にはスピーカが取り付けられて、放送内容が音波として伝えられるようになされている。このような建築設備としてのスピーカは、多くの場合、天井埋め込みや壁面取り付けなどにより設置されている。ところで、従来の天井埋め込みや壁面取り付けには、スピーカの存在が明瞭に現れすぎて意匠上の欠点となりやすい問題点があった。また、スピーカの取り付け位置や向きが適当でない場合には、受聴位置の相異による音圧レベルや周波数特性等の音響特性のバラツキが大きくなりがちとなる問題点もあった。さらに、大会議室等のスピーカは水平に近い向きに音波を出すので、水平向きに設置されたマイクロフォンとの間でハウリングを生じさせやすい傾向もあった。
【０００３】
そこで、天井埋め込みや壁面取り付けをする場合の意匠上の問題点を解決するために、スピーカ付き内装パネルを用いることが特許文献１（特開平９ー１１６９９２号公報）にて提案されるようになった。この特許文献１にて提案されたスピーカ付き内装パネルにおいては、図１１に示すように、固定電極３１と導電性振動膜３２とを一対の絶縁物３３により小間隔ｄを介して対向させて保持し、それらの間に静電容量を形成する。その静電容量にバイアス電源Ｅ０からバイアス電圧を加えると、振動膜３２の上に電荷が蓄積される。この電荷と固定電極３１との間に信号源Ｓから脈動電圧を加えると脈動電界が発生し、この電界により振動膜３２の上の電荷に静電力が加わり、振動膜３２が振動して音波が放射されるというものである。
【０００４】
【特許文献１】特開平９−１１６９９２号公報
【発明の開示】
【発明が解決しようとする課題】
【０００５】
しかしながら、上述した特許文献１にて提案されたスピーカ付き内装パネルにおいては、内装材として用いられるため、設置するために非常に手間を要するとともに、故障した場合の修理も容易ではないという問題があった。また、発音面積が固定されているため、音場を自由に変更することができないという問題もあった。
そこで、本発明は上記の如き問題点を解消するためになされたものであって、複数個の静電スピーカを折り曲げ可能に形成して、カーテンとして機能するスピーカを構成して、設置や修理が簡単、容易で、かつ音場を自在にコントロールできるようにするとともに、吸音材としても機能するようにしたカーテンスピーカを提供することを目的とする。
【課題を解決するための手段】
【０００６】
本発明のカーテンスピーカは、内面に導電性多孔膜からなる固定電極が形成された一対の多孔質絶縁層の中心部に導電性を有する振動膜が固定電極に対して所定の間隔を隔てて配置された静電スピーカが複数個連結されて形成されている。
そして、上記目的を達成するため、固定電極あるいは振動膜のいずれか一方にバイアス電圧が付与されているとともに、該バイアス電圧が付与されていない固定電極あるいは振動膜のいずれか一方にオーディオ信号が付与されるようになされており、前記静電スピーカは、固定電極あるいは振動膜のいずれか一方に付与されたオーディオ信号に応じた駆動電圧に基づく当該振動膜と固定電極との間の静電力により振動膜が変位して当該振動膜と固定電極との間の空間部に存在する空気相が押し出されたり引き戻されることにより空気振動が生じて音波を発生するようになされている。
この場合、静電スピーカの１枚１枚が互い違いに折れ曲がるようになされた連結部を備えてカーテン状に形成されていたり、あるいは静電スピーカの１枚１枚が独立してブラインド状に連結されてブラインド状に形成されていて発音面積が変更可能で音場を自由に制御できるようになされていることを特徴とする。
【０００７】
このように本発明においては、複数個の静電スピーカを折り曲げ可能に形成してカーテンとして機能するスピーカや、ブラインドとして機能するスピーカを構成しているので、カーテンやブラインドの開け閉め量を調整することにより、発音面積を変更可能で音場を自由に制御できるようになるとともに、大面積のスピーカを容易に設置することが可能となる。また、吸音体としても機能するようにしたスピーカを提供することが可能となるので、通常は吸音体になるべき位置から音を発することが可能となり、例えば、窓に配置することにより、「小鳥のさえずり声」や「水の流れる音」などのあたかも窓から音が出てくるようなバーチャルリアリティ感を味わえるようになる。
【０００８】
この場合、振動膜と固定電極との間に緩衝材が配置されていたり、あるいは振動膜の端部と固定電極の端部との間にスペーサが配置されていると、振動膜と固定電極との間を容易に保持することが可能となる。また、バイアス電極が分極エレクトレットで構成されていると、バイアス電圧を付与するための電力を供給することが必要でなくなるので、省電力のスピーカを構成することが可能となる。さらに、１枚のカーテンで複数ある振動膜と固定電極を個別に駆動させるようにすると、簡単、容易にアレイスピーカを構成することが可能になる。
【発明を実施するための最良の形態】
【０００９】
以下に、本発明の実施の形態を図１〜図６に基づいて説明するが、本発明はこの実施の形態に何ら限定されるものでなく、本発明の目的を変更しない範囲で適宜変更して実施することが可能である。なお、図１は本発明の実施例の緩衝材を備えた単板スピーカを模式的に示す断面図であり、図１（ａ）は該単板スピーカの非駆動状態を模式的に示す断面図であり、図１（ｂ）は該単板スピーカの駆動状態を模式的に示す断面図である。図２は本発明の変形例のスペーサを備えた単板スピーカを模式的に示す断面図であり、図２（ａ）は該単板スピーカの非駆動状態を模式的に示す断面図であり、図２（ｂ）は該単板スピーカの駆動状態を模式的に示す断面図である。
【００１０】
図３は複数枚の単板スピーカを用いて形成された実施例のカーテンスピーカを模式的に示す断面図であり、図３（ａ）は広げた状態を示す断面図であり、図３（ｂ）は図３（ａ）よりも狭めた状態を示す断面図であり、図３（ｃ）は図３（ｂ）よりもさらに狭めた状態を示す断面図である。図４〜図６は、複数枚の単板スピーカを横長方向に配置し、これらを高さ方向（縦方向）に配列してブラインド状に形成したカーテンスピーカを模式的に示す図であり、図４（ａ）は閉じた状態の平面図であり、図４（ｂ）は図４（ａ）のＡ−Ａ断面を示す断面図である。図５（ａ）は３０度だけ上向に開いた状態の平面図であり、図５（ｂ）は図５（ａ）のＡ−Ａ断面を示す断面図である。図６（ａ）は３０度だけ下向に開いた状態の平面図であり、図６（ｂ）は図６（ａ）のＡ−Ａ断面を示す断面図である。
【００１１】
１．単板スピーカ
図１に示すように、実施例の単板スピーカ１０は、内表面に第１固定電極となる第１導電膜１１ａが形成された前部多孔質絶縁層１１と、内表面に第２固定電極となる第２導電膜１２ａが形成された後部多孔質絶縁層１２と、これらの一対の多孔質絶縁層１１，１２の中間部に配置された導電性フィルムからなる振動膜１３と、多孔質絶縁層１１，１２と振動膜１３との間に充填された緩衝材１４とから構成される。この場合、前部多孔質絶縁層１１と後部多孔質絶縁層１２との中間部に振動膜１３が配置されるように緩衝材１４を介在させ、これらの前部多孔質絶縁層１１および後部多孔質絶縁層１２の上端部および下端部を縫い合わせることにより単板スピーカ１０が形成されている。
【００１２】
ここで、多孔質絶縁層１１，１２は綿や羊毛などの天然繊維あるいはポリエステルやナイロンなどの化学繊維の織布、不織布、フェルト等のカーテン生地からなる。この場合、壁側あるいは窓側に配置される後部多孔質絶縁層１２は、ビニールシートなどの孔のないものを貼着するようにして音の出を少なくするのが望ましい。そして、それらの内表面には第１固定電極となる第１導電膜１１ａ、第２固定電極となる第２導電膜１２ａが形成されている。導電膜１１ａ，１２ａはアルミニウム（Ａｌ）金属をスパッタにより被着させたり、ＡｌやＣｕなどの金属膜を印刷したり、ＡｌやＣｕなどの導電塗料を塗布することにより多孔質絶縁層１１，１２の内表面に導電性多孔膜として形成されている。
【００１３】
なお、導電膜１１ａ，１２ａをバイアス電極とする場合は、多孔質絶縁層１１，１２として高電圧（例えば、１０００Ｖ）で分極されているとともに、互に逆極性（例えば、一方の多孔質絶縁層１１が＋１０００Ｖで、他方の多孔質絶縁層１２が−１０００Ｖ、あるいはその逆で、一方の多孔質絶縁層１１が−１０００Ｖで、他方の多孔質絶縁層１２が＋１０００Ｖ）になるよう帯電された不織布を用いることができる。この場合、導電膜１１ａ，１２ａを用いても、あるいは導電膜１１ａ，１２ａを用いないようにしてもよい。
【００１４】
また、振動膜１３は、ＰＥＴ（Polyethylene terephthalate）やＰＰ（Polypropylene）などの樹脂フィルムの両面にＡｌやＣｕなどの金属を蒸着したもの、またはＡｌやＣｕなどの導電塗料を塗布したもの、あるいはＡｌやＣｕなどの金属箔をラミネートしたもの等から構成されている。なお、この振動膜１３がバイアス電極となる場合は、高電圧（例えば、１０００Ｖ）に分極されたフィルム（単極エレクトレット）を用いることができる。さらに、緩衝材１４は絶縁性を有する綿や羊毛などの天然繊維あるいはポリエステルやナイロンなどの化学繊維の不織布、シート状綿、フェルトあるいは合成樹脂製スポンジ等からなる。
【００１５】
〈動作〉
上述のように構成された単板スピーカ１０において、例えば、図１（ｂ）に示すように、振動膜（バイアス電極）１３がプラス（＋）の電荷を持つように予めバイアス電源によりバイアス電圧Ｖが付与されているものとする。そして、導電膜１１ａ，１２ａにオーディオ信号（Ｖｉｎ）が印加されることにより、緩衝材１４を介して対向する振動膜（バイアス電極）１３と第１導電膜１１ａおよび第２導電膜１２ａとの間にオーディオ信号に応じた電位差が発生する。これにより、振動膜（バイアス電極）１３と第１導電膜１１ａおよび第２導電膜１２ａとの間の電位差の大きさに応じて振動膜（バイアス電極）１３に静電力が働き、振動膜（バイアス電極）１３は変位、即ち、振動することとなる。
【００１６】
そして、導電膜１１ａ，１２ａに交流電圧からなるオーディオ信号（Ｖｉｎ）が繰り返して印加されると、緩衝材１４内に存在する空気相の押し出しと引き戻しが繰り返されて、音波の波面が形成されることとなる。なお、振動膜（バイアス電極）１３として高電圧（例えば、１０００Ｖ）に分極されたエレクトレットを用いる場合は、バイアス電圧を付与するための電力を供給することが必要でなくなるので、省電力のスピーカを構成することが可能となる。
【００１７】
〈変形例〉
上述した実施例においては、第１導電膜１１ａと振動膜（バイアス電極）１３との間および第２導電膜１２ａと振動膜（バイアス電極）１３との間にそれぞれ緩衝材１４を設けるようにして、振動膜（バイアス電極）１３を第１導電膜１１ａおよび第２導電膜１２ａ間の中央部に配置するようにした例について説明したが、緩衝材１４に代えてスペーサ１５を設けるようにしてもよい。
本変形例の単板スピーカ１０ａにおいては、緩衝材１４に代えてスペーサ１５を設け、図２に示すように、これらのスペーサ１５を第１導電膜１１ａと振動膜（バイアス電極）１３との間の両端部および第２導電膜１２ａと振動膜（バイアス電極）１３との間の両端部に配置するようにしている。なお、図２において、図１と同一符号は同一名称を表すので、その説明は省略する。
【００１８】
上述した構成となる本変形例の単板スピーカ１０ａにおいても、上述した実施例の単板スピーカ１０と同様に動作する。この場合、例えば、図２（ｂ）に示すように、振動膜（バイアス電極）１３がプラス（＋）の電荷を持つように予めバイアス電源によりバイアス電圧Ｖが付与されているものとする。そして、導電膜１１ａ，１２ａにオーディオ信号（Ｖｉｎ）が印加されることにより、スペーサ１５，１５を介して対向する振動膜（バイアス電極）１３と第１導電膜１１ａおよび第２導電膜１２ａとの間にオーディオ信号に応じた電位差が発生する。これにより、振動膜（バイアス電極）１３と第１導電膜１１ａおよび第２導電膜１２ａとの間の電位差の大きさに応じて振動膜（バイアス電極）１３に静電力が働き、振動膜（バイアス電極）１３は変位、即ち、振動することとなる。そして、導電膜１１ａ，１２ａに交流電圧からなるオーディオ信号（Ｖｉｎ）が繰り返して印加されると、スペーサ１５，１５間に存在する空気相の押し出しと引き戻しが繰り返されて、音波の波面が形成されることとなる。
【００１９】
２．連結スピーカ（カーテンスピーカ）
ついで、上述のように構成される単板スピーカ１０，１０ａを用いて、連結スピーカ（カーテンスピーカ）を構成する例を図３に基づいて以下に説明する。なお、図３は、複数枚の単板スピーカ１０（この場合、単板スピーカ１０ａを用いても同様であるので、単板スピーカ１０を用いた場合についてのみ説明する）を用いて形成された実施例のカーテンスピーカ１００を示す断面図であり、図３（ａ）は広げた状態を示す断面図であり、図３（ｂ）は図３（ａ）よりも狭めた状態を示す断面図であり、図３（ｃ）は図３（ｂ）よりもさらに狭めた状態を示す断面図である。
【００２０】
図３に示すように、本カーテンスピーカ１００は複数枚の単板スピーカ１０を第１連結部材１６と第２連結部材１７とにより幅方向に連結することにより、単板スピーカ１０が一体化されてカーテン状に形成されている。この場合、第１連結部材１６は前部多孔質絶縁層１１同士を連結するために設けられており、第２連結部材１７は後部多孔質絶縁層１２同士を連結するために設けられていて、前部多孔質絶縁層１１と第１連結部材１６との重ね合わせ部が縫合されているとともに、後部多孔質絶縁層１２と第２連結部材１７との重ね合わせ部が縫合されることにより一体化されてカーテン状に形成されている。
【００２１】
ここで、第１連結部材１６は前部多孔質絶縁層１１と同様な材質により形成されており、第２連結部材１７は後部多孔質絶縁層１２と同様な材質により形成されていて、一定方向に屈曲するように襞が形成されている。なお、第１導電膜１１ａ同士、第２導電膜１２ａ同士および振動膜（バイアス電極）１３同士はそれぞれ直列接続となるように図示しない導電体によりそれぞれ接続されている。この場合、カーテンスピーカ１００の一方の端部側を固定して、他方の端部を開け閉めできるようにするとともに、一方の端部側の上端部あるいは下端部に第１導電膜１１ａ同士および第２導電膜１２ａ同士が接続されたリード線の端部を導出して入力信号用接続端子とし、振動膜（バイアス電極）１３同士が接続されたリード線の端部を導出してバイアス電源用接続端子とするのが望ましい。
このように、第１連結部材１６および第２連結部材１７で複数枚の単板スピーカ１０を連結することにより、屈曲部での電極間挟部をなくすことが可能となる。そして、カーテンの開け閉めの量を調整することにより、音場を自在に、かつ容易に調整することが可能となる。
【００２２】
〈変形例〉
上述した実施例においては、複数枚の単板スピーカ１０を縦長方向に配置し、第１連結部材１６と第２連結部材１７とにより幅方向（横方向）に連結することによりカーテンスピーカ１００を形成するようにしたが、複数枚の単板スピーカ１０を横長方向に配置し、これらを高さ方向（縦方向）に配列して、ブラインド状のカーテンスピーカを形成するようにしてもよい。ついで、ブラインド状のカーテンスピーカを構成する例を図４〜図６に基づいて以下に説明する。
【００２３】
なお、図４〜図６は、複数枚の単板スピーカ１０（この場合、単板スピーカ１０ａ（図２参照）を用いても同様であるので、単板スピーカ１０を用いた場合のみについて説明する）を横長方向に配置し、これらを高さ方向（縦方向）に配列して形成したブラインド状のカーテンスピーカ２００を示す図であり、図４（ａ）は閉じた状態の平面図であり、図４（ｂ）は図４（ａ）のＡ−Ａ断面を示す断面図である。図５（ａ）３０度だけ上向に開いた状態の平面図であり、図５（ｂ）は図５（ａ）のＡ−Ａ断面を示す断面図である。図６（ａ）３０度だけ下向に開いた状態の平面図であり、図６（ｂ）は図６（ａ）のＡ−Ａ断面を示す断面図である。
【００２４】
本変形例のブラインド状のカーテンスピーカ２００は、図示しないヘッドボックスとボトムレールとの間に、図４〜図６に示すように、スラット（はね）となる単板スピーカ１０を横長方向に配置し、この単板スピーカ１０の４個を高さ方向（縦方向）に配列するとともに、図示しない昇降コードに接続してブラインド状に形成されている。この場合、各スラット（単板スピーカ１０）の角度調整が可能となるように図示しない操作コードにより接続されている。
【００２５】
これにより、図４に示すように、図示しない操作コードを操作して各スラット（単板スピーカ１０）が閉じた状態においては、例えば、振動膜（バイアス電極）１３にバイアス電源によりバイアス電圧が付与され、導電膜１１ａ，１２ａにオーディオ信号（Ｖｉｎ）が印加されると、緩衝材１４内に存在する空気相の押し出しと引き戻しが繰り返されて、音波の波面が水平方向（図４（ｂ）の白抜き矢印方向）に放射されることとなる。
【００２６】
また、図５に示すように、図示しない操作コードを操作して各スラット（単板スピーカ１０）が上向に３０度だけ開いた状態においては、例えば、振動膜（バイアス電極）１３にバイアス電源によりバイアス電圧が付与され、導電膜１１ａ，１２ａにオーディオ信号（Ｖｉｎ）が印加されると、緩衝材１４内に存在する空気相の押し出しと引き戻しが繰り返されて、音波の波面が３０度上向（図５（ｂ）の白抜き矢印方向）に放射されることとなる。
【００２７】
また、図６に示すように、図示しない操作コードを操作して各スラット（単板スピーカ１０）が下向３０度だけ開いた状態においては、例えば、振動膜（バイアス電極）１３にバイアス電源によりバイアス電圧が付与され、導電膜１１ａ，１２ａにオーディオ信号（Ｖｉｎ）が印加されると、緩衝材１４内に存在する空気相の押し出しと引き戻しが繰り返されて、音波の波面が３０度下向（図６（ｂ）の白抜き矢印方向）に放射されることとなる。
このように、図示しない操作コードを操作して各スラット（単板スピーカ１０）の向きを操作することにより、音場を自在に、かつ容易に制御することが可能となる。
【００２８】
３．設置例
ついで、上述のように構成されるカーテンスピーカ１００の設置例について、講堂や集会所に設置する例と、家庭内や車室内に設置する例とに分けて、以下に説明する。なお、図７は実施例のカーテンスピーカを講堂や集会所に設置する例を模式的に示す図であり、図７（ａ）は１壁面に配置されたカーテンスピーカを１壁面の全面を覆うように全閉した状態を示す図であり、図７（ｂ）は１壁面に配置されたカーテンスピーカを１壁面の半面のみを覆うように開け閉め量が調整された状態を示す図である。図８は１壁面に２つのカーテンスピーカを配置し、２つのカーテンスピーカに別々の音声信号を入力して講演を行っている状態を模式的に示す図であり、図８（ａ）は１つの室内で２つの講演を同時に行っている状態を示す図であり、図８（ｂ）は１つの室内で講演者Ｘの音声（例えば英語）と同時通訳の音声を発音している状態を示す図である。
【００２９】
（１）講堂や集会所に設置する例
図７（ａ）に示すように、上述のように構成されたカーテンスピーカ１００を講堂や集会所の１壁面に配置する。そして、このカーテンスピーカ１００の一端部側の上端部あるいは下端部に設けられた入力信号用接続端子にアンプの出力端子に接続された接続用リードを接続する。また、カーテンスピーカ１００の一端部側の上端部あるいは下端部に設けられたバイアス電源用接続端子にバイアス電源に接続された接続用リードを接続する。これにより、振動膜（バイアス電極）１３にバイアス電源からバイアス電圧が付与され、導電膜１１ａ，１２ａに音声信号（Ｖｉｎ）が印加されることとなる。
【００３０】
これにより、講堂や集会所の１壁面に配置されたカーテンスピーカ１００から平面波が放射（図７（ａ）の矢印参照）されて、小音量でも減衰の少ない音が伝搬し、聴衆全員に明瞭な音を聞かせることが可能になるとともに、ハウリングも起こりにくいこととなる。この場合、図７（ｂ）に示すように、講堂や集会所の１壁面に配置されたカーテンスピーカ１００を１壁面の半面のみを覆うように開け閉め量を調整すると、カーテンスピーカ１００に対向する空間内に位置する聴衆（図７（ｂ）のＡ部参照）のみに講演内容などを視聴させることが可能となる。
【００３１】
また、図８（ａ）に示すように、講堂や集会所の１壁面に２つのカーテンスピーカ１００Ａ，１００Ｂを配置し、２つのカーテンスピーカ１００Ａ，１００Ｂに別々の音声信号を入力するようにすれば、１つの室内で２つの講演を行うことができる。これにより、カーテンスピーカ１００Ａに対向する空間内に位置する聴衆（図８（ａ）のＡ部参照）は講演者Ｘの講演を聴くことができるとともに、カーテンスピーカ１００Ｂに対向する空間内に位置する聴衆（図８（ａ）のＢ部参照）は講演者Ｙの講演を聴くことができるようになる。この結果、１つの室内を効率よく利用することが可能となって、スペースの利用効率が向上することとなる。
【００３２】
さらに、図８（ｂ）に示すように、講堂や集会所の１壁面に２つのカーテンスピーカ１００Ａ，１００Ｂを配置し、カーテンスピーカ１００Ａに講演者Ｘの音声信号（例えば英語）を入力するようにし，カーテンスピーカ１００Ｂに同時通訳の音声信号を入力できるようにすることも可能である。この場合、カーテンスピーカ１００Ａに対向する空間内に位置する聴衆（図８（ｂ）のＡ部参照）は講演者Ｘの講演を聴くことができるとともに、カーテンスピーカ１００Ｂに対向する空間内に位置する聴衆（図８（ｂ）のＢ部参照）は同時通訳の音声を聴くことができるようになる。これにより、１つの室内で一人の講演者の講演を生の声と同時通訳の声とを、聴衆者の好みに応じて聞き分けることが可能となる。
【００３３】
（２）家庭内や車室内に設置する例
本発明のカーテンスピーカは講堂や集会所などに限らず、家庭のリビングや寝室あるいは車室内のウインドなどにおいても利用することができる。ここで、家庭のリビングに用いる場合、例えば、窓のある壁面に配置するようにすると、小鳥のさえずりや小川のせせらぎの音等をＢＧＭ（Back Ground Music）として鳴らすようにすると、恰も、窓の外から小鳥のさえずりや小川のせせらぎの音が鳴っているような感覚を生じさせて「癒し」効果を発生させることが可能となる。また、窓を開けてカーテンスピーカを風に揺らがせることにより、カーテンスピーカから発声される音に揺らぎが生じて、「癒し」効果をさらに高めさせることが可能となる。
【００３４】
また、窓のある壁面のみに限らず、他の壁面にも本発明のカーテンスピーカを配置するようにすれば、部屋全体がスピーカに囲まれたマルチスピーカを実現することができる。また、自動車の車室内の運転席側を除く３方向のウインドに本発明のカーテンスピーカを配置するようにすれば、車室内がスピーカに囲まれたマルチスピーカを実現することができる。さらに、部屋全体の４つの壁面に本発明のカーテンスピーカを配置し、１つの壁面に配置されたカーテンスピーカをスピーカとして用い、残りの３つの壁面に配置されたカーテンスピーカを吸音材として使用するようにすれば、このカーテンスピーカにより防音効果を発揮させることが可能となる。これにより、通常は吸音体になるべき位置から音を発生させることが可能になり、例えば、窓に配置することにより、「小鳥のさえずり声」や「水の流れる音」などがあたかも窓から音が出てくるようなバーチャルリアリティ感を生じさせることが可能となる。
【００３５】
４．スピーカアレイ（マルチカーテンスピーカ）
上述したカーテンスピーカにおいては、第１導電膜１１ａ同士、第２導電膜１２ａ同士および振動膜１３同士を導電体により直列接続し、これらの第１導電膜１１ａおよび第２導電膜１２ａ（または振動膜１３）に同一位相のオーディオ信号を入力させて１ユニットのカーテンスピーカとする例について説明した。ところが、本発明のカーテンスピーカにおいては、複数の第１導電膜１１ａおよび第２導電膜１２ａ（または振動膜１３）にそれぞれ独立に同位相のオーディオ信号や位相をずらしたオーディオ信号を入力させるようにしてスピーカアレイを形成することが可能である。
【００３６】
そこで、上述のように構成される単板スピーカ１０，１０ａを用いて、スピーカアレイ（マルチカーテンスピーカ）３００を構成する例を図９に基づいて以下に説明する。なお、図９は、複数枚の単板スピーカ１０（この場合、単板スピーカ１０ａを用いても同様であるので、単板スピーカ１０を用いた場合についてのみ説明する）を用いて形成されたスピーカアレイ（マルチカーテンスピーカ）３００を示す断面図である。
【００３７】
スピーカアレイ（マルチカーテンスピーカ）３００は、図９に示すように、単板スピーカ１０−１と１０−２（１０−３と１０−４，１０−５と１０−６，１０−７と１０−８，１０−９と１０−１０，１０−１１と１０−１２，１０−１３と１０−１４，１０−１５と１０−１６についても同様である）の前部多孔質絶縁層１１同士が第１連結部材１６で連結されているとともに、後部多孔質絶縁層１２同士が第２連結部材１７で連結されていて１ユニットのカーテンスピーカ３０１（３０２，３０３，３０４，３０５，３０６，３０７，３０８）となされている。
【００３８】
また、単板スピーカ１０−１と１０−２（１０−３と１０−４，１０−５と１０−６，１０−７と１０−８，１０−９と１０−１０，１０−１１と１０−１２，１０−１３と１０−１４，１０−１５と１０−１６についても同様である）の第１導電膜１１ａ同士、第２導電膜１２ａ同士および振動膜１３同士は導電体により直列接続されている。そして、これらの各１ユニットのカーテンスピーカ３０１（３０２，３０３，３０４，３０５，３０６，３０７，３０８）の第１導電膜１１ａおよび第２導電膜１２ａ（または振動膜１３）にオーディオ信号（Ｖｉｎ）を付与されるように接続されている。
【００３９】
この場合、ユニットスピーカ３０１の単板スピーカ１０−２とユニットスピーカ３０２の単板スピーカ１０−３（３０２の１０−４と３０３の１０−５、３０３の１０−６と３０４の１０−７、３０４の１０−８と３０５の１０−９、３０５の１０−１０と３０６の１０−１１、３０６の１０−１２と３０７の１０−１３、３０７の１０−１４と３０８の１０−１５についても同様である）の前部多孔質絶縁層１１同士が第１連結部材１６で連結されているるとともに、後部多孔質絶縁層１２同士が第２連結部材１７で連結され、一体化されてスピーカアレイ（マルチカーテンスピーカ）３００となされている。
【００４０】
このように構成されたスピーカアレイ（マルチカーテンスピーカ）３００の各ユニットのカーテンスピーカ３０１（３０２，３０３，３０４，３０５，３０６，３０７，３０８）に独立に同位相のオーディオ信号を付与すると、各ユニットのカーテンスピーカ３０１（３０２，３０３，３０４，３０５，３０６，３０７，３０８）からビーム状の音波（図９の矢印参照）が放音されることとなる。これにより、図９の点線で示すような音波の波面が形成され、リスナー（Ｌ）は、リスナー（Ｌ）の真正面に音源があるかのように聞こえる。
【００４１】
なお、上述したスピーカアレイ（マルチカーテンスピーカ）３００においては、２枚の単板スピーカ（例えば、１０−１と１０−２）を連結して１ユニットのカーテンスピーカ（例えば、３０１）とし、これらの１ユニット同士を連結するようにしている。ところが、１ユニットのカーテンスピーカは、２枚の単板スピーカを連結して構成することに限らず、１枚の単板スピーカで構成したり、あるいは３枚以上の単板スピーカを連結して構成するようにしてもよい。
【００４２】
上述のように同位相のオーディオ信号や位相をずらしたオーディオ信号を各第１導電膜１１ａおよび第２導電膜１２ａ（または振動膜１３）に付与するようにするには、例えば、特開２００５−１９７８９６号公報に開示されているような手段を用いればよい。具体的には、図１０に示すように、指向性制御装置４０２から与えられる遅延制御情報に従い、各スピーカユニット３０１（３０２，３０３，３０４，３０５，３０６，３０７，３０８）の各第１導電膜１１ａおよび第２導電膜１２ａ（または振動膜１３）に供給するオーディオ信号の各々に遅延処理を施す遅延回路４０１を備えるようにする。この場合、指向性制御装置４０２は、所望する位置に焦点が形成されるように、上記各オーディオ信号に与えるべき遅延量を求め、求めた各遅延量をあらわす遅延制御情報を生成して遅延回路４０１に供給する。
【００４３】
具体的には、焦点からスピーカユニット３０１（３０２，３０３，３０４，３０５，３０６，３０７，３０８）までの距離差を補償するように、スピーカユニット３０１（３０２，３０３，３０４，３０５，３０６，３０７，３０８）の空間座標と焦点の空間座標とに基づき上記各遅延量を算出する。そして、重み付け手段４０３を、スピーカユニット３０１（３０２，３０３，３０４，３０５，３０６，３０７，３０８）の各第１導電膜１１ａおよび第２導電膜１２ａ（または振動膜１３）と同数の乗算器４０３−ａ，４０３−ｂ・・・４０３−ｈによって構成し、遅延回路４０１から供給される遅延処理後のオーディオ信号の各々に窓関数係数やゲイン係数等の重み係数による重みを付加する。
【００４４】
増幅手段４０４は、スピーカユニット３０１（３０２，３０３，３０４，３０５，３０６，３０７，３０８）の各第１導電膜１１ａおよび第２導電膜１２ａ（または振動膜１３）と同数のアンプ４０４−ａ，４０４−ｂ・・・４０４−ｈによって構成し、重み付け手段４０３によって所定の重みが付加された各オーディオ信号を増幅する。これにより、増幅手段４０４によって増幅されたオーディオ信号は、スピーカユニット３０１（３０２，３０３，３０４，３０５，３０６，３０７，３０８）の各第１導電膜１１ａおよび第２導電膜１２ａ（または振動膜１３）に入力され、音波として出力される。各スピーカユニット３０１（３０２，３０３，３０４，３０５，３０６，３０７，３０８）から出力された音波は、空間上の任意の点（焦点）において同位相となり、該焦点方向の音圧が局所的に高くなる効率の良い指向性（以下、狭指向性）が実現される。このように、遅延アレイ方式を用いたスピーカアレイシステム４００によれば、狭指向性を実現することができるとともに、遅延量の変更のみで指向方向を任意に変更等することができる。
【図面の簡単な説明】
【００４５】
【図１】本発明の実施例の単板スピーカを模式的に示す断面図であり、図１（ａ）は該単板スピーカの非駆動状態を模式的に示す断面図であり、図１（ｂ）は該単板スピーカの駆動状態を模式的に示す断面図である。
【図２】本発明の変形例の単板スピーカを模式的に示す断面図であり、図２（ａ）は該単板スピーカの非駆動状態を模式的に示す断面図であり、図２（ｂ）は該単板スピーカの駆動状態を模式的に示す断面図である。
【図３】複数枚の単板スピーカを用いて形成された実施例のカーテンスピーカを模式的に示す断面図であり、図３（ａ）は広げた状態を示す断面図であり、図３（ｂ）は図３（ａ）よりも狭めた状態を示す断面図であり、図３（ｃ）は図３（ｂ）よりもさらに狭めた状態を示す断面図である。
【図４】複数枚の単板スピーカを横長方向に配置し、これらを高さ方向（縦方向）に配列して形成したブラインド状カーテンスピーカを模式的に示す図であり、図４（ａ）は閉じた状態の平面図であり、図４（ｂ）は図４（ａ）のＡ−Ａ断面を示す断面図である。
【図５】複数枚の単板スピーカを横長方向に配置し、これらを高さ方向（縦方向）に配列して形成したブラインド状カーテンスピーカを模式的に示す図であり、図５（ａ）は３０度だけ上向に開いた状態の平面図であり、図５（ｂ）は図５（ａ）のＡ−Ａ断面を示す断面図である。
【図６】複数枚の単板スピーカを横長方向に配置し、これらを高さ方向（縦方向）に配列して形成したブラインド状カーテンスピーカを模式的に示す図であり、図６（ａ）は３０度だけ下向に開いた状態の平面図であり、図６（ｂ）は図６（ａ）のＡ−Ａ断面を示す断面図である。
【図７】実施例のカーテンスピーカを講堂や集会所に設置する例を模式的に示す図であり、図７（ａ）は１壁面に配置されたカーテンスピーカを１壁面の全面を覆うように全閉した状態を示す図であり、図７（ｂ）は１壁面に配置されたカーテンスピーカを１壁面の半面のみを覆うように開け閉め量が調整された状態を示す図である。
【図８】１壁面に２つのカーテンスピーカを配置し、２つのカーテンスピーカに別々の音声信号を入力して講演を行っている状態を模式的に示す図であり、図８（ａ）は１つの室内で２つの講演を同時に行っている状態を示す図であり、図８（ｂ）は１つの室内で講演者Ｘの音声（例えば英語）と同時通訳の音声を発音している状態を示す図である。
【図９】スピーカアレイ（マルチカーテンスピーカ）を示す断面図である。
【図１０】遅延アレイ方式を用いたスピーカアレイシステムを説明するブロック図である。
【図１１】従来例のスピーカ付き内装パネルを示す図である。
【符号の説明】
【００４６】
１０…実施例の単板スピーカ、１０ａ…変形例の単板スピーカ、１１…前部多孔質絶縁層、１１ａ…第１導電膜、１２…後部多孔質絶縁層、１２ａ…第２導電膜、１３…振動膜、１４…緩衝材、１５…スペーサ、１６…第１連結部材、１７…第２連結部材、１００…実施例のカーテンスピーカ、１００Ａ，１００Ｂ…カーテンスピーカ、２００…変形例のカーテンスピーカ、３００…スピーカアレイ（マルチカーテンスピーカ）、３０１…１ユニットのカーテンスピーカ、４００…スピーカアレイシステム、４０１…遅延回路、４０２…指向性制御装置、４０３…乗算器、４０３…手段、４０４…アンプ
【図１】
2008028652.tif 000003
【図２】
2008028652.tif 000004
【図３】
2008028652.tif 000005
【図４】
2008028652.tif 000006
【図５】
2008028652.tif 000007
【図６】
2008028652.tif 000008
【図７】
2008028652.tif 000009
【図８】
2008028652.tif 000010
【図９】
2008028652.tif 000011
【図１０】
2008028652.tif 000012
【図１１】
2008028652.tif 000013